(57)【特許請求の範囲】
【請求項１】
鉗子カップと駆動レバーとが一体的に形成されてシースの先端側に配置され、上記シース内に挿通配置された操作ワイヤを軸線方向に進退操作することにより上記駆動レバーが支軸を中心に回動し、それによって上記鉗子カップが嘴状に開閉駆動されるようにした内視鏡用生検鉗子であって、
上記操作ワイヤの先端に設けられたワイヤ状部材の先端を曲げ戻してループを形成すると共に、上記駆動レバーを形成する部材により上記駆動レバーの後端部分にワイヤ係合部を形成し、上記ワイヤ状部材のループを上記駆動レバーのワイヤ係合部に回転自在に係合させたものにおいて、
上記鉗子カップと上記駆動レバーとが、板材からプレス加工により形成されていて、上記ワイヤ係合部が、上記駆動レバーの後端部分を上記支軸と平行な軸線を中心にして上記ワイヤループ内に緩く入る円筒形状に丸めた形状に形成されていることを特徴とする内視鏡用生検鉗子。
【請求項２】
上記ワイヤ係合部が、上記駆動レバーを形成する部材を部分的に二重に重ね合わせて形成されている請求項１記載の内視鏡用生検鉗子。
【請求項３】
上記ワイヤ状部材が、上記操作ワイヤ自体の先端部分である請求項１又は２記載の内視鏡用生検鉗子。
【発明の詳細な説明】
【０００１】
【発明の属する技術分野】
この発明は、内視鏡の鉗子チャンネルに挿通されて体腔内から生検組織標本を採取するために用いられる内視鏡用生検鉗子に関する。
【０００２】
【従来の技術】
内視鏡用生検鉗子は一般に、一体に形成された鉗子カップと駆動レバーとがシースの先端側に配置され、シース内に挿通配置された操作ワイヤを軸線方向に進退操作することにより駆動レバーが支軸を中心に回動し、それによって鉗子カップが嘴状に開閉駆動されるようになっている。
【０００３】
そのような従来の内視鏡用生検鉗子においては、図８に示されるように、図示されていない操作ワイヤの先端と駆動レバー８との間に介在するリンク板１３が、駆動レバー８と並んで配置され、リベット１８により回動自在な状態に連結されている。７は鉗子カップである。
【０００４】
【発明が解決しようとする課題】
しかし、駆動レバー８とリンク板１３とは、リベット１８によりいわゆる片持ち状態に連結されているので、使用による磨耗やガタつき等によって、例えば図９に示されるように、かしいだ状態になり、リベット１８が傾いたり曲がったりして動きが悪くなってしまう場合が少なくない。そして、最悪の場合にはリベット１８が脱落してしまうこともある。
【０００５】
そこで本発明は、鉗子カップと一体に形成された駆動レバーが円滑に作動して鉗子カップを確実に開閉させることができる内視鏡用生検鉗子を提供することを目的とする。
【０００６】
【課題を解決するための手段】
上記の目的を達成するため、本発明の内視鏡用生検鉗子は、鉗子カップと駆動レバーとが一体的に形成されてシースの先端側に配置され、シース内に挿通配置された操作ワイヤを軸線方向に進退操作することにより駆動レバーが支軸を中心に回動し、それによって鉗子カップが嘴状に開閉駆動されるようにした内視鏡用生検鉗子において、操作ワイヤの先端に設けられたワイヤ状部材の先端を曲げ戻してループを形成すると共に、駆動レバーを形成する部材により駆動レバーの後端部分にワイヤ係合部を形成し、ワイヤ状部材のループを駆動レバーのワイヤ係合部に回転自在に係合させたものである。
【０００７】
なお、鉗子カップと駆動レバーとが、板材からプレス加工によって形成されていて、ワイヤ係合部が、駆動レバーの後端部分を支軸と平行な軸線を中心にしてワイヤループ内に緩く入る円筒形状に丸めた形状に形成されていてもよい。
【０００８】
そして、ワイヤ係合部が、駆動レバーを形成する部材を部分的に二重に重ね合わせて形成されていてもよく、ワイヤ状部材が、操作ワイヤ自体の先端部分であってもよい。
【０００９】
【発明の実施の形態】
図面を参照して本発明の実施の形態を説明する。
図１及び図２は、内視鏡用生検鉗子の先端部分を示しており、図１は側面断面図、図２は平面断面図である。ただし、両図共に、少ない図面で構造を説明できるように、異なる断面を複合して図示してある。
【００１０】
図示されていない内視鏡の鉗子チャンネルに挿脱される可撓性のシース１は、例えばステンレス鋼線を一定の径で密着巻きして形成された密着巻コイルパイプからなる。
【００１１】
ただし、シース１は密着巻コイルパイプに可撓性チューブを被覆したものや、その他の構成をとってもよく、その長さは例えば１〜２．５ｍ程度、直径は１．５〜３ｍｍ程度である。
【００１２】
シース１の内部には、軸線方向に進退自在に操作ワイヤ２が全長にわたって挿通配置されており、シース１の基端側に連結された操作部（図示せず）からの操作によって操作ワイヤ２が進退操作される。
【００１３】
この実施の形態においては、二本の操作ワイヤ２が例えば四フッ化エチレン樹脂製の一本の可撓性チューブ２１内に並べて通された状態でシース１内に挿通されており、可撓性チューブ２１の先端近傍において、二本の操作ワイヤ２が、相対的な位置ずれ防止をするための固着リング２２によって一体的に固着されている。
【００１４】
シース１の先端には支持本体３が固定的に連結されている。この支持本体３は、シース１の先端に連結される環状連結部３１の先側に、コの字状に形成された支持枠部３２が固着されて構成されている。
【００１５】
この実施の形態の環状連結部３１は、シース１の先端外周に螺合する螺旋状の凹凸がキャップ状の部材に形成されて構成され、支持枠部３２は、板状の部材をコの字状に曲げてその開放部分を前方に向け、後端部分が環状連結部３１に固着されている。そして、環状連結部３１と支持枠部３２との連結固着部の中心軸線位置には、操作ワイヤ２が緩く通る貫通孔が形成されている。
【００１６】
支持本体３の先端近傍（即ち支持枠部３２の先端近傍）には、軸線方向と直交する向きに支軸受孔４が貫通して穿設され、そこに支軸５が通されてかしめ固定されている。
【００１７】
そして、鉗子カップ７と駆動レバー８とが一体に形成された二組の部材がその支軸５に回動自在に支持されており、一対の鉗子カップ７は、開放面どうしがあい対向した状態で支持本体３より前方に突出した位置に配置されている。
【００１８】
駆動レバー８は、コの字状の支持枠部３２の溝３２ａ内に可動に収容されている。そして、両端が支持本体３に保持された支軸５が各駆動レバー８に穿設された軸孔１１に通されていて、駆動レバー８が支軸５を中心に回動することにより、駆動レバー８と一体に形成された鉗子カップ７が嘴状に開閉動作をする。図３は、鉗子カップ７が開いた状態を示している。
【００１９】
鉗子カップ７と駆動レバー８は、一枚のステンレス鋼板を素材としてプレス加工によって形成されており、図４にその部品単体の斜視図が示され、図２には平面断面の一部が示されている。
【００２０】
鉗子カップ７と駆動レバー８は、全体として柄の短いスプーン状に形成されている。鉗子カップ７は背部分に孔７ａが形成された半長球状であり、開放面の縁部には刃が形成されている。
【００２１】
鉗子カップ７と駆動レバー８との境界部分９は、Ｖ−Ｖ断面を示す図５に示されるように略Ｕ字状の断面形状に形成されており、駆動レバー８も境界部分９と連続した略Ｕ字状の断面形状に形成されている。このように、断面形状が略Ｕ字状に形成された部分は、その底部が横方向の力に対抗する梁として作用し、優れた強度を有する。
【００２２】
二本の操作ワイヤ２の先端部分は、各々曲げ戻されて閉じたループ２ａが形成されており、そのループ２ａが係合するワイヤ係合部１８が駆動レバー８の後端部に形成されている。
【００２３】
ワイヤ係合部１８は、支軸５と平行な軸線を中心に駆動レバー８の後端部分を形成する部材を円筒形状に丸めて形成されており、操作ワイヤ２のループ２ａが、ワイヤ係合部１８に対して回転自在にワイヤ係合部１８を囲む状態に緩く係合している。図１に示されるように、ワイヤ係合部１８はほぼシース１の外径位置の前方に位置している。
【００２４】
駆動レバー８の底部にはワイヤ係合部１８に隣接する部分に溝孔８ａが穿設されて、そこに操作ワイヤ２のループ２ａ部分が通されている。なおワイヤ係合部１８は、図６及び図７に示されるように、大きめに切り欠いた駆動レバー８の壁部材を、部分的に二重に重ね合わせて形成してもよい。
【００２５】
このような構成により、操作ワイヤ２を手元側から進退操作すれば、駆動レバー８が支軸５を中心に回動して、鉗子カップ７が嘴状に開閉し、使用時には、生体の粘膜組織を一組の鉗子カップ７の間に強く挟み込んで、食いちぎるようにして鉗子カップ７内に採取することができる。
【００２６】
ワイヤ係合部１８がシース１の外径位置の前方に位置している（即ち、中心軸位置からある程度離れている）ので、操作ワイヤ２の牽引により鉗子カップ７に強い閉止力が生じ、組織を強い力で食いちぎることができる。
【００２７】
そして、駆動レバー８の後端部分に操作ワイヤ２の先端部分を係合させた構成であり、操作ワイヤ２は断面形状が略Ｕ字状の駆動レバー８のほぼ中心線位置に係合するので、駆動レバー８がかしいだり傾いたりせず円滑に作動し、鉗子カップ７を確実に開閉させることができる。
【００２８】
なお、本発明は上記実施の形態に限定されるものではなく、例えば、駆動レバー８の後端に係合するワイヤは、シース１内に通された操作ワイヤ２の先端に連結された別部材であってもよく、鉗子カップ７は鰐口状その他どのような形状であっても差し支えない。
【００２９】
【発明の効果】
本発明によれば、操作ワイヤの先端に設けられたワイヤ状部材の先端を曲げ戻してループを形成し、駆動レバーの後端部分に駆動レバーを形成する部材により形成されたワイヤ係合部に、ワイヤ状部材のループを係合させたことにより、鉗子カップと一体に形成された駆動レバーがかしいだりせず、円滑に作動して鉗子カップを確実に開閉させることができ、強い閉止力を得ることができる。
【図面の簡単な説明】
【図１】本発明の実施の形態の内視鏡用生検鉗子が閉じた状態の先端部分の側面複合断面図である。
【図２】本発明の実施の形態の内視鏡用生検鉗子が閉じた状態の先端部分の平面複合断面図である。
【図３】本発明の実施の形態の内視鏡用生検鉗子が開いた状態の先端部分の側面部分断面図である。
【図４】本発明の実施の形態の内視鏡用生検鉗子の鉗子カップと駆動レバーが一体に形成された部材の斜視図である。
【図５】本発明の実施の形態の内視鏡用生検鉗子の鉗子カップと駆動レバーとの境界部分の断面図（図４におけるＶ−Ｖ断面図）である。
【図６】本発明の実施の形態の内視鏡用生検鉗子のワイヤ係合部の変形例の部分断面図である。
【図７】本発明の実施の形態の内視鏡用生検鉗子のワイヤ係合部の第２の変形例の部分断面図である。
【図８】従来の内視鏡用生検鉗子の部分平面図である。
【図９】従来の内視鏡用生検鉗子の部分拡大断面図である。
【符号の説明】
１  シース
２  操作ワイヤ
２ａ  ループ
５  支軸
７  鉗子カップ
８  駆動レバー
８ａ  溝孔
１８  ワイヤ係合部
【図１】
0003650550.tif 000002
【図２】
0003650550.tif 000003
【図３】
0003650550.tif 000004
【図４】
0003650550.tif 000005
【図５】
0003650550.tif 000006
【図６】
0003650550.tif 000007
【図７】
0003650550.tif 000008
【図８】
0003650550.tif 000009
【図９】
0003650550.tif 000010